(57)【特許請求の範囲】
【請求項１】
通信対象にアクセスするための信号を前記通信対象へ送信する情報送信手段と、
この情報送信手段からの送信後、それに応じて前記通信対象より受信された返答信号を読み込む情報受信手段と、
この情報受信手段で読み込んだ前記返答信号を、互いに位相が異なる複数の信号を用いてそれぞれ復調する復調手段と、
この復調手段で前記複数の信号を用いてそれぞれ復調された複数の復調信号の誤り検出をそれぞれ行う誤り検出手段と、
この誤り検出手段の検出結果に基づき、前記複数の復調信号のうち１つを選択する選択手段と
を有することを特徴とする無線通信装置。
【請求項２】
請求項１記載の無線通信装置において、
前記選択手段は、複数の前記復調信号のうち前記誤り検出手段において誤りがない又は誤りが最も少ないと検出されたものを、選択することを特徴とする無線通信装置。
【請求項３】
請求項１又は２記載の無線通信装置において、
前記誤り検出手段は、
前記復調信号に含まれる誤り検出符号を抽出する符号抽出手段と、
前記復調信号に含まれるデータ部分から、誤り検出符号を算出する符号算出手段と、
前記符号抽出手段で抽出された誤り検出符号と、前記符号算出手段で算出された誤り検出符号とを比較する比較手段と
を備えることを特徴とする無線通信装置。
【請求項４】
請求項３記載の無線通信装置において、
前記誤り検出手段は、前記誤り検出符号として、ＣＲＣ符号を用いることを特徴とする無線通信装置。
【請求項５】
請求項１乃至４のいずれか１項記載の無線通信装置において、
前記誤り検出手段は、前記復調信号における誤り数を検知する誤り数検知手段を備え、
前記選択手段は、複数の前記復調信号に係わる前記誤り数検知手段の検知結果に基づき、前記選択を行うことを特徴とする無線通信装置。
【請求項６】
請求項１乃至５のいずれか１項記載の無線通信装置において、
前記誤り検出手段は、前記複数の復調信号の誤り検出を、各復調信号ごとに順次行うことを特徴とする無線通信装置。
【請求項７】
請求項６記載の無線通信装置において、
前記選択手段による選択結果を記憶保持する記憶手段を備えることを特徴とする無線通信装置。
【請求項８】
請求項７記載の無線通信装置において、
前記記憶手段は、前記選択結果と、通信を行った際のパラメータ情報を記憶することを特徴とする無線通信装置。
【請求項９】
請求項７又は８記載の無線通信装置において、
前記誤り検出手段は、前記記憶手段に記憶された前記選択手段の選択結果に基づき、過去の所定期間の選択回数の多い前記復調信号の誤り検出を優先的に行うことを特徴とする無線通信装置。
【請求項１０】
請求項７乃至９のいずれか１項記載の無線通信装置において、
搬送波を発生させる搬送波発生手段と、
この搬送波発生手段により発生された搬送波を変調し前記変調信号を生成する搬送波変調手段と、
前記搬送波発生手段で発生させる前記搬送波の周波数を所定の周期でホッピングさせるホッピング制御手段とを有することを特徴とする無線通信装置。
【請求項１１】
請求項１０記載の無線通信装置において、
前記記憶手段は、前記ホッピング制御手段でホッピングさせる周波数毎に前記選択結果を記憶保持することを特徴とする無線通信装置。
【請求項１２】
請求項１乃至１１のいずれか１項記載の無線通信装置において、
前記復調手段は、前記情報受信手段で読み込んだ前記返答信号を、互いに位相が略９０°異なる２つの信号を用いてそれぞれ復調することを特徴とする無線通信装置。
【請求項１３】
請求項１乃至１２のいずれか１項記載の無線通信装置において、
前記情報受信手段で受信した前記返答信号に含まれるグリッジ成分を除去するグリッジ除去手段を有することを特徴とする無線通信装置。
【請求項１４】
請求項１乃至１３のいずれか１項記載の無線通信装置において、
前記情報送信手段は、前記通信対象としての無線タグ回路素子にアクセスするための変調信号を前記無線タグ回路素子に送信し、
前記情報受信手段は、前記無線タグ回路素子により、前記情報送信手段からの返答信号を読み込むことを特徴とする無線通信装置。
【請求項１５】
テープ状又はシート状のタグ媒体に備えられた無線タグ回路素子にアクセスするための変調信号を前記無線タグ回路素子へ送信する情報送信手段と、
この情報送信手段からの送信後、それに応じて前記通信対象より受信された返答信号を読み込む情報受信手段と、
この情報受信手段で読み込んだ前記返答信号を、互いに位相が異なる複数の信号を用いてそれぞれ復調する復調手段と、
この復調手段で前記複数の信号を用いてそれぞれ復調された複数の復調信号の誤り検出をそれぞれ行う誤り検出手段と、
この誤り検出手段の検出結果に基づき、前記複数の復調信号のうち１つを選択する選択手段と
前記タグ媒体を搬送する搬送手段と、
この搬送手段で搬送される前記タグ媒体に所定の印字を行う印字手段とを有することを特徴とするタグラベル作成装置。
【発明の詳細な説明】
【技術分野】
【０００１】
本発明は、外部と情報の無線通信を行う無線通信装置、及びその一類型である無線タグ回路素子に対し情報の読み取り又は書き込みを行って無線タグラベルを作成するタグラベル作成装置に関する。
【背景技術】
【０００２】
応答器としての小型の無線タグに対し、質問器としてのリーダ／ライタより非接触で問い合わせの送信及び返答の受信を行うことで、無線タグの情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えている。ＩＣ回路部は、上記アンテナで受信された信号を復調して解釈するとともに、メモリに記憶された情報信号に基づいて上記受信した搬送波を変調反射しアンテナを介して質問器へ返信する。
【０００４】
このような質問器として、従来、例えば特許文献１に記載のものが知られている。この従来技術では、発振器からの搬送波を変調増幅してアンテナより応答器へ送信した後、直交復調器において、応答器からアンテナにより受信された反射波を、上記搬送波と掛け合わせて復調信号（Ｉ信号）を生成するとともに、上記搬送波と位相が９０°ずらされた搬送波とも掛け合わせて復調信号（Ｑ信号）を生成する（いわゆるＩ−Ｑ直交復調）によって反射波の復調を行うようになっている。
【０００５】
【特許文献１】特開平１−２３１８７号公報
【発明の開示】
【発明が解決しようとする課題】
【０００６】
上記従来技術では、直交復調器における復調の際、上記Ｉ信号及び上記Ｑ信号の受信信号強度をそれぞれレベル検出器で検出し、それらのうち受信信号強度の大きい方の信号を選んでそれを用いて反射波の復調を行っている。しかしながら、このように受信信号強度のみで復調対象の信号を選択すると、例えば妨害波等の存在によって受信信号強度が増大している場合には、当該大きい強度を用いて復調しても復調後の信号に多数の誤りが含まれ、応答器からの正確な情報を取得するのが不可能となる畏れがある。
【０００７】
本発明の目的は、誤りの少ない復調信号に基づいて通信対象からの情報を取得し、通信精度を向上できる無線通信装置を提供することにある。
【課題を解決するための手段】
【０００８】
上記目的を達成するために、第１の発明は、通信対象にアクセスするための信号を前記通信対象へ送信する情報送信手段と、この情報送信手段からの送信後、それに応じて前記通信対象より受信された返答信号を読み込む情報受信手段と、この情報受信手段で読み込んだ前記返答信号を、互いに位相が異なる複数の信号を用いてそれぞれ復調する復調手段と、この復調手段で前記複数の信号を用いてそれぞれ復調された複数の復調信号の誤り検出をそれぞれ行う誤り検出手段と、この誤り検出手段の検出結果に基づき、前記複数の復調信号のうち１つを選択する選択手段とを有することを特徴とする。
【０００９】
本願第１発明においては、信号が情報送信手段から通信対象へ送信され、この通信対象からの返答信号が情報受信手段で受信されて読み込まれる。この返答信号は、復調手段によって互いに位相が異なる複数の信号にて復調され、それぞれの復調信号についての誤り検出が誤り検出手段によって行われ、その誤り検出結果に基づき、１つの復調信号が選択手段で選択される。このように複数の誤り検出結果に基づき１つの復調信号を選択することにより、単に受信信号強度の大きいほうの復調信号を選択する従来技術と異なり、より誤りの少ない（あるいは誤りのない）復調信号に基づき通信対象からの情報を取得することが可能となるので、通信対象との通信精度（正しい情報を取得できる精度）を向上することができる。
【００１０】
第２発明は、上記第１発明において、前記選択手段は、複数の前記復調信号のうち前記誤り検出手段において誤りがない又は誤りが最も少ないと検出されたものを、選択することを特徴とする。
【００１１】
複数の誤り検出結果に基づき誤りのない又は少ない１つの復調信号を選択することで、誤りのない又は誤りの少ない復調信号に基づき通信対象からの情報を取得でき、通信対象との通信精度（正しい情報を取得できる精度）を向上することができる。
【００１２】
第３発明は、上記第１又は第２発明において、前記誤り検出手段は、前記復調信号に含まれる誤り検出符号を抽出する符号抽出手段と、前記復調信号に含まれるデータ部分から、誤り検出符号を算出する符号算出手段と、前記符号抽出手段で抽出された誤り検出符号と、前記符号算出手段で算出された誤り検出符号とを比較する比較手段とを備えることを特徴とする。
【００１３】
符号抽出手段で抽出した誤り検出符号と符号算出手段で算出した誤り検出符号とを比較手段で比較し、それらが合致するかどうか（又は違いがどれだけ少ないか）によって復調信号の誤り検出を行うことができる。
【００１４】
第４発明は、上記第３発明において、前記誤り検出手段は、前記誤り検出符号として、ＣＲＣ符号を用いることを特徴とする。
【００１５】
符号抽出手段で抽出したＣＲＣ符号と符号算出手段で算出したＣＲＣ符号とを比較手段で比較し、それらが合致するかどうか（又は違いがどれだけ少ないか）によって復調信号の誤り検出を行うことができる。
【００１６】
第５発明は、上記第１乃至第４発明のいずれかにおいて、前記誤り検出手段は、前記復調信号における誤り数を検知する誤り数検知手段を備え、前記選択手段は、複数の前記復調信号に係わる前記誤り数検知手段の検知結果に基づき、前記選択を行うことを特徴とする。
【００１７】
これにより、誤り数がより少ない復調信号を選択手段で選択することで、より誤りの少ない（あるいは誤りのない）復調信号に基づき通信対象からの情報を取得することができる。
【００１８】
第６発明は、上記第１乃至第５発明のいずれかにおいて、前記誤り検出手段は、前記複数の復調信号の誤り検出を、各復調信号ごとに順次行うことを特徴とする。
【００１９】
複数の復調信号の誤り検出を並行して行わず各復調信号ごとに順次行うことにより、１つの復調信号における誤り検出が終了してその検出結果が良好（誤りがないか、あるいは比較的少ない等）であった場合、残りの復調信号についての誤り検出を省略することができるので、検出処理量を低減して処理速度を向上することができる。
【００２０】
第７発明は、上記第６発明において、前記選択手段による選択結果を記憶保持する記憶手段を備えることを特徴とする。
【００２１】
これにより、記憶手段に記憶した過去の選択履歴をそれ以降の処理に反映させ、能率の良い処理を行うことが可能となる。
【００２２】
第８発明は、上記第７発明において、前記記憶手段は、前記選択結果と、通信を行った際のパラメータ情報を記憶することを特徴とする。
【００２３】
一般に、通信対象へ変調信号を送信しその返答信号を受信して復調する通信方式の場合、その通信状況は、通信周波数、通信距離、変調方式等により変化しうる。本願第８発明においては、無線タグ回路素子のアンテナ及びＩＣ回路部の種類等のタグ属性パラメータや、通信電波のキャリア周波数、通信プロトコル、通信距離、送信出力等の通信パラメータを含むパラメータ情報と関連づけて記憶手段に記憶を行うことにより、その記憶内容を利用することで以降のアクセスの際の復調を迅速に行うことができる。
【００２４】
第９発明は、上記第７又は第８発明において、前記誤り検出手段は、前記記憶手段に記憶された前記選択手段の選択結果に基づき、過去の所定期間の選択回数の多い前記復調信号の誤り検出を優先的に行うことを特徴とする。
【００２５】
過去の所定期間の選択回数が多い、すなわち誤りのない又は少ない通信を行える可能性が高い復調信号について今回は優先的に誤り検出を行うことにより、より迅速に正しい情報を取得することができる。
【００２６】
第１０発明は、上記第７乃至第９発明のいずれかにおいて、搬送波を発生させる搬送波発生手段と、この搬送波発生手段により発生された搬送波を変調し前記変調信号を生成する搬送波変調手段と、前記搬送波発生手段で発生させる前記搬送波の周波数を所定の周期でホッピングさせるホッピング制御手段とを有することを特徴とする。
【００２７】
搬送波発生手段で発生させる搬送波を搬送波変調手段で変調して情報送信手段で通信対象へ送信するとき、ホッピング制御手段で搬送波周波数をホッピングすることにより、搬送波周波数を特定の周期でホッピングしつつ、無線通信を行うことができる。
【００２８】
第１１発明は、上記第１０発明において、前記記憶手段は、前記ホッピング制御手段でホッピングさせる周波数毎に前記選択結果を記憶保持することを特徴とする。
【００２９】
ホッピング周波数毎に選択結果を記憶保持することにより、その記憶内容を利用することで以降のアクセスの際の復調を迅速に行うことができる。
【００３０】
第１２発明は、上記第１乃至第１１発明のいずれかにおいて、前記復調手段は、前記情報受信手段で読み込んだ前記返答信号を、互いに位相が略９０°異なる２つの信号を用いてそれぞれ復調することを特徴とする。
【００３１】
位相が略９０°異なる２つの信号を用いたいわゆる直交検波後の復調信号に関し、それぞれの誤り検出結果に基づきいずれか１つの復調信号を選択することにより、より誤りの少ない（あるいは誤りのない）復調信号に基づき通信対象からの情報を取得して、通信対象との通信精度（正しい情報を取得できる精度）を向上することができる。
【００３２】
第１３発明は、上記第１乃至第１２発明のいずれかにおいて、前記情報受信手段で受信した前記返答信号に含まれるグリッジ成分を除去するグリッジ除去手段を有することを特徴とする。
【００３３】
グリッジ除去手段で返答信号中の不要なグリッジ成分を除去した後に復調手段で復調を行うことにより、ノイズのある環境でも正確な復調を行うことができる。
【００３４】
第１４発明は、上記第１乃至第１３発明のいずれかにおいて、前記情報送信手段は、前記通信対象としての無線タグ回路素子にアクセスするための変調信号を前記無線タグ回路素子に送信し、前記情報受信手段は、前記無線タグ回路素子により、前記情報送信手段からの返答信号を読み込むことを特徴とする。
【００３５】
誤り検出手段における無線タグ回路素子からの返答信号に関する複数の誤り検出結果に基づき１つの復調信号を選択することにより、より誤りの少ない（あるいは誤りのない）復調信号に基づき無線タグ回路素子からの無線タグ情報を取得することができ、無線タグ回路素子との通信精度（正しい情報を取得できる精度）を向上することができる。
【００３６】
上記目的を達成するために、本願第１５発明は、テープ状又はシート状のタグ媒体に備えられた無線タグ回路素子にアクセスするための変調信号を前記無線タグ回路素子へ送信する情報送信手段と、この情報送信手段からの送信後、それに応じて前記通信対象より受信された返答信号を読み込む情報受信手段と、この情報受信手段で読み込んだ前記返答信号を、互いに位相が異なる複数の信号を用いてそれぞれ復調する復調手段と、この復調手段で前記複数の信号を用いてそれぞれ復調された複数の復調信号の誤り検出をそれぞれ行う誤り検出手段と、この誤り検出手段の検出結果に基づき、前記複数の復調信号のうち１つを選択する選択手段と、前記タグ媒体を搬送する搬送手段と、この搬送手段で搬送される前記タグ媒体に所定の印字を行う印字手段とを有することを特徴とする。
【００３７】
本願第１５発明のタグラベル作成装置においては、変調信号が情報送信手段から通信対象へ送信され、この通信対象からの返答信号が情報受信手段で受信されて読み込まれる。この返答信号は、復調手段によって互いに位相が異なる複数の信号にて復調され、それぞれの復調信号についての誤り検出が誤り検出手段によって行われ、その誤り検出結果に基づき、１つの復調信号が選択手段で選択される。このように複数の誤り検出結果に基づき１つの復調信号を選択することにより、単に受信信号強度の大きいほうの復調信号を選択する従来技術と異なり、より誤りの少ない（あるいは誤りのない）復調信号に基づき通信対象からの情報を取得することが可能となるので、通信対象との通信精度（正しい情報を取得できる精度）を向上することができる。特に、タグラベル作成装置では、印字手段の駆動や搬送手段のモータ駆動に伴うノイズが生じやすいが、このようなノイズがあっても正しく無線タグ回路素子と通信を行うことができるので、高速に精度良く無線タグラベルを作成できる効果がある。
【発明の効果】
【００３８】
本発明によれば、誤りの少ない復調信号に基づいて通信対象からの情報を取得し、通信精度を向上することができる。
【発明を実施するための最良の形態】
【００３９】
以下、本発明の一実施の形態を図面を参照しつつ説明する。
【００４０】
図１は、本実施形態のタグラベル作成装置が適用される無線タグ生成システムを表すシステム構成図である。
【００４１】
図１に示すこの無線タグ生成システム１において、本実施形態によるタグラベル作成装置２（無線通信装置）は、有線あるいは無線による通信回線３を介してルートサーバ４、端末５、汎用コンピュータ６、及び複数の情報サーバ７に接続されている。
【００４２】
図２は、本実施形態のタグラベル作成装置２（但し後述するカートリッジ１００を取り外し、さらに開閉蓋ＯＣを開けた状態）の全体概略構造を表す斜視図である。
【００４３】
図２において、タグラベル作成装置２は、装置本体８と、この装置本体８に着脱可能に取り付けられる図示しないカートリッジ１００を収容するためのカートリッジホルダ部ＣＨと、装置本体８の外郭を構成する筐体９と、閉じ状態で上記カートリッジホルダ部ＣＨを覆うように装置本体８に回動可能に接続された開閉蓋ＯＣとを有している。
【００４４】
図３は、上記カートリッジのケーシングのみを表した斜視図である。この図３においてはカートリッジ１００のうちの筐体を構成するケーシング９０のみを図示しており、その内部から繰り出される後述の基材テープ、インクリボン及び被印字テープの図示は省略している。
【００４５】
図３において、カートリッジのケーシング９０は、概略的に、略直方体に図中下方部で略半円状の突出部を設け、図中奥行き方向が厚み方向となる略平板状に形成されている。その平板面側から見て略直方体の対角線上の２つの角部（図中左上と右下の角部）には大きなラウンド９０ｂが形成されており、さらに各ラウンド９０ｂの厚み方向の途中位置にはケーシング本体９０ａよりも厚みの小さい位置決めリブ９１が側方に突出するよう形成されている。そしてそれぞれの位置決めリブ９１でカートリッジホルダ部ＣＨの底面と対向する面（図中の裏面）は、それぞれ同一平面上に位置する平坦なリブ当接面９１ａが形成されている。
【００４６】
図４は、上記装置本体８からカートリッジ１００及び開閉蓋ＯＣを取り外した状態のカートリッジホルダ部ＣＨを図２中IV方向からみた上面図である。
【００４７】
図４において、カートリッジホルダ部ＣＨは、装置本体８にカートリッジ１００を着脱可能に嵌合できる凹所として設けられており、その底に位置するホルダ底面９２には後述する印字ヘッド１０、リボン巻取りローラ駆動軸１１、圧着ローラ駆動軸１２、アンテナ１４などが設けられているとともに、カートリッジ１００を装着した際の上記２つの位置決めリブ９１の配置に対応する２つの角部にそれぞれ同じ高さの位置決めピン９３が突設されている。
【００４８】
図５は、上記装置本体８からカートリッジ１００及び開閉蓋ＯＣを取り外した状態のカートリッジホルダ部ＣＨを図２中Ｖ方向からみた斜視図である。
【００４９】
この図５において、位置決めピン９３（図５中では１本のみ図示）はホルダ底面９２から垂直に立設されており、カートリッジ１００をカートリッジホルダ部ＣＨに取り付けた際には、これら位置決めピン９３の先端がそれぞれ位置決めリブ９１のリブ当接面９１ａに当接してカートリッジ１００を支持するようになっている。
【００５０】
図６は、上記タグラベル作成装置２の詳細構造を表す概念的構成図である。
【００５１】
図６において、タグラベル作成装置２の装置本体８は、第２ロール（被印字テープロール）１０４から繰り出される被印字テープ１０３に所定の印字（印刷）を行う印字ヘッド（印字手段、サーマルヘッド）１０と、被印字テープ１０３への印字が終了したインクリボン１０５を駆動するリボン巻取りローラ駆動軸１１と、被印字テープ１０３と第１ロール（タグテープロール）１０２から繰り出される基材テープ（タグ媒体、タグテープ）１０１とを貼り合わせつつ印字済タグラベル用テープ１１０としてカートリッジ１００から繰り出すための圧着ローラ駆動軸１２と、印字済タグラベル用テープ１１０に備えられる無線タグ回路素子Ｔo（通信対象、詳細は後述）との間でＵＨＦ帯等の高周波を用いて無線通信により信号の送受を行うアンテナ（装置側アンテナ）１４と、上記印字済タグラベル用テープ１１０を所定のタイミングで所定の長さに切断しラベル状の無線タグラベルＴ（詳細は後述）を生成するカッタ１５と、無線タグラベルＴを搬出口１６へと搬送し送出する送出ローラ１７とを上記筐体９に有している。
【００５２】
アンテナ１４は、一方側（この例では図６の紙面に向かって手前側）に指向性を備えた指向性アンテナ（この例では平面アンテナ、さらに詳細にはいわゆるパッチアンテナ）で構成されており、具体的には装置の内部側に地板を備えたマイクロストリップアンテナとなっている。またこのアンテナ１４は、上記第１ロール１０２から繰り出された基材テープ１０１の搬送経路（ロールからの繰り出し位置より上記圧着ローラ駆動軸１２までの間）に指向性を有するように設計されている。
【００５３】
一方、装置本体８はまた、上記アンテナ１４を介し上記無線タグ回路素子Ｔoへアクセスする（書き込み又は読み取りを行う）ための高周波回路２１と、無線タグ回路素子Ｔoから読み出された信号に対し復調等の所定の処理（詳細は後述）を行うための信号処理回路２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５４】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００５５】
図７は、上記カートリッジ１００の詳細構造を説明するための説明図である。
【００５６】
この図７において、カートリッジ１００は、ケーシング９０と、このケーシング９０内に配置され帯状の上記基材テープ１０１が巻回された上記第１ロール１０２と、上記基材テープ１０１と略同じ幅である透明な上記被印字テープ１０３が巻回された上記第２ロール１０４と、上記インクリボン１０５（熱転写リボン、但し被印字テープが感熱テープの場合は不要）を繰り出すリボン供給側ロール１１１と、印字後のリボン１０５を巻取るリボン巻取りローラ１０６と、圧着ローラ１０７（搬送手段）と、ガイドローラ１１２と、基材テープ１０１をその貫通孔１１３Ａに挿通させ、アンテナ１４から第１ロール１０２側への電波信号の漏れを低減するシールド部材１１３とを有する。
【００５７】
圧着ローラ１０７は、上記基材テープ１０１と上記被印字テープ１０３とを押圧し接着させ上記印字済タグラベル用テープ１１０としつつ矢印Ａで示す方向にテープ送りを行う（すなわちテープ送りローラとしても機能する）。
【００５８】
第１ロール１０２は、リール部材１０２ａの周りに、長手方向に複数の無線タグ回路素子Ｔoが所定の等間隔で順次形成された上記基材テープ１０１を巻回している。
【００５９】
基材テープ１０１はこの例では４層構造となっており（図７中部分拡大図参照）、内側に巻かれる側（図７中右側）よりその反対側（図７中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００６０】
ベースフィルム１０１ｂの裏側（図７中左側）には、情報の送受信を行うアンテナ（タグ側アンテナ）１５２がこの例では一体的に設けられており、これに接続するように情報を記憶するＩＣ回路部１５１が形成され、これらによって無線タグ回路素子Ｔoが構成されている。
【００６１】
ベースフィルム１０１ｂの表側（図７中右側）には、後に被印字テープ１０３を接着するための上記粘着層１０１ａが形成され、またベースフィルム１０１ｂの裏側（図７中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００６２】
第２ロール１０４は、リール部材１０４ａの周りに上記被印字テープ１０３を巻回している。第２ロール１０４より繰り出される被印字テープ１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該被印字テープ１０３の裏面に当接させられるようになっている。
【００６３】
リボン巻取りローラ１０６及び圧着ローラ１０７は、それぞれカートリッジ１００外に設けた例えばパルスモータである上記カートリッジ用モータ２３（前述の図６参照）の駆動力が上記リボン巻取りローラ駆動軸１１及び上記圧着ローラ駆動軸１２に伝達されることによって回転駆動される。
【００６４】
上記構成のカートリッジ１００において、上記第１ロール１０２より繰り出された基材テープ１０１は、圧着ローラ１０７へと供給される。一方、第２ロール１０４より繰り出される被印字テープ１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該被印字テープ１０３の裏面に当接させられる。
【００６５】
そして、カートリッジ１００が上記装置本体８のカートリッジホルダ部ＣＨに装着されロールホルダ（図示せず）が離反位置から当接位置に移動されると、被印字テープ１０３及びインクリボン１０５が印字ヘッド１０とプラテンローラ１０８との間に狭持されるとともに、基材テープ１０１及び被印字テープ１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からは被印字テープ１０３が繰り出されるとともに、上記印刷駆動回路２５により印字ヘッド１０の複数の発熱素子が通電される。この結果、被印字テープ１０３の裏面に、貼り合わせ対象となる基材テープ１０１上の無線タグ回路素子Ｔoに対応した印字Ｒ（後述の図１２参照）が印刷される。そして、上記基材テープ１０１と上記印刷が終了した被印字テープ１０３とが上記圧着ローラ１０７及びサブローラ１０９により接着されて一体化され、印字済タグラベル用テープ１１０として形成され、カートリッジ１００外へと搬出される。なお、被印字テープ１０３への印字が終了したインクリボン１０５は、リボン巻取りローラ駆動軸１１の駆動によりリボン巻取りローラ１０６に巻取られる。
【００６６】
ガイドローラ１１２は、基材テープ１０１が消費されることに伴い第１ロール１０２からの基材テープ１０１繰り出し位置が変動しても（図７中２点鎖線参照）、第１ロール１０２から繰り出された基材テープ１０１の搬送経路が、アンテナ１４の面方向所定位置（この例ではほぼ中央位置）を通るように（あるいはそこから所定範囲内に規制されるように）、導くようになっている。
【００６７】
図８は、上記高周波回路２１の詳細機能を表す機能ブロック図である。この図８において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６８】
送信部３２は、無線タグ回路素子ＴoのＩＣ回路部１５１の無線タグ情報にアクセスする(書き込み又は読み取りを行う)ための搬送波を発生させる水晶振動子３５、ＰＬＬ（Phase
Locked Loop）３６、及びＶＣＯ（Voltage Controlled  Oscillator）３７（これら３つで搬送波発生手段を構成する）と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（搬送波変調手段、但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。なお、水晶振動子３５、ＰＬＬ３６、及びＶＣＯ３７から発生される搬送波は、上記ＰＬＬ３６に対し制御回路３０から入力される周波数制御信号により、所定の周期でホッピング可能に構成されている（詳細は後述の図１９等を参照）。
【００６９】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に移相器４９により位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００７０】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。
【００７１】
図９は、上記信号処理回路２２の要部詳細機能構成を表す機能ブロック図である。図９において、信号処理回路２２は、上記アンテナ１４により受信され上記高周波回路２１の受信部３３のリミッタ４６，４２からそれぞれ供給された受信信号に含まれるグリッジ成分をそれぞれ除去するグリッジ除去回路２０１Ａ，２０１Ｂ（グリッジ除去手段）と、このグリッジ成分が除去された受信信号を復調し、その受信信号に含まれる所定の情報信号（＝無線タグ回路素子Ｔoによる変調信号）をそれぞれ読み出すＦＭ復調回路２０２Ａ，２０２Ｂと、この復調信号に含まれる誤り検出符号（この例ではＣＲＣ符号）を抽出するためのＣＲＣ符号部切り出し回路２０４Ａ，２０４Ｂをそれぞれ備えたシリアル−パラレル変換回路（符号抽出手段）２０３Ａ，２０３Ｂと、上記ＦＭ復調回路２０２Ａ，２０２Ｂで復調されシリアル−パラレル変換回路２０３Ａ，２０３Ｂより入力された復調信号に含まれるデータ部分から、上記ＣＲＣ符号をそれぞれ算出するＣＲＣ演算回路２０５Ａ，２０５Ｂ（符号算出手段）と、このＣＲＣ演算回路２０５Ａ，２０５Ｂで算出したＣＲＣ符号と上記シリアル−パラレル変換回路２０３Ａ，２０３Ｂで抽出されたＣＲＣ符号とを比較する比較回路２０６Ａ，２０６Ｂ（比較手段）とを備えている。
【００７２】
ここで、ＣＲＣ符号について説明する。一般に、無線通信では、通常、回線周囲環境等のノイズにより発生した情報通信エラーを機械的に検出するため種々のエラー制御が行われる。このとき、送信データと受信データとの違いすなわち通信誤りを検出する（データが壊れていないか調べる）方式の一つが、ＣＲＣ（Cyclic Redundancy Check；巡回冗長検査）であり、通信やデバイスなどの分野で広く利用されている。
【００７３】
ＣＲＣにおいては、送出データに対し生成多項式で除算を行い、剰余を計算して誤り検査用のビット列（誤り検出符号）を作成する。送信ビット列Ｐ（ｘ）、生成多項式Ｇ（ｘ）、生成多項式の最高次数をｎとした時、Ｐ（ｘ）・ｘｎ／ Ｇ（ｘ）の余りがＣＲＣ符号となる。例えば、送信ビットが、
「０１１００１００」（Ｐ（ｘ）＝ｘ６＋ｘ５＋ｘ２）
で表され、生成多項式が
Ｇ（ｘ）＝ｘ６＋ｘ２
である場合は、
Ｐ（ｘ）・ｘ６ / Ｇ（ｘ） ＝ｘ６＋ｘ５ｘ 余り ｘ３
となるため、ＣＲＣ符号は「１０００」となる。
【００７４】
このように演算されたビット列を、ＣＲＣ符号として送出データに付加して送信を行う。受信側では同じ計算式によりＣＲＣビット列を算出し、受信データに付加されていたＣＲＣビット列と比較する。このＣＲＣ符号は、同一のデータからは必ず同じ符号が生成され、１ビットでもデータが異なると全く別のＣＲＣ符号が生成されるため、上記の比較を行うことにより、送出データと受信データとが正しく一致しているかどうか（エラーが発生していないかどうか）を検出することができるものである。
【００７５】
比較回路２０６Ａ，２０６Ｂは、上記ＣＲＣ演算回路２０５Ａ，２０５ＢからのＣＲＣ符号と上記シリアル−パラレル変換回路２０３Ａ，２０３ＢからのＣＲＣ符号との比較結果（誤りがないのはいずれであるか、あるいは誤りが少ないのはいずれであるか）を制御回路３０へ出力する。
【００７６】
このとき、制御回路３０には、上記シリアル−パラレル変換回路２０３Ａ，２０３Ｂからの復調信号（復調データ）も入力されており、上記比較回路２０６Ａ，２０６Ｂにおける比較結果に応じて、それら２つの復調信号のうち、上記比較回路２０６Ａ，２０６Ｂでの比較によって誤りがない又は誤りが最も少ないと検出されたものを選択し、これを無線タグ回路素子Ｔoから返信された情報であると認識する。この比較回路２０６Ａ，２０６Ｂの比較及びこれを受けた制御回路３０における選択認識の具体的手法を、以下詳細に説明する。
【００７７】
すなわち、Ｑ信号、Ｉ信号のいずれにもＣＲＣ符号の誤りがない場合は、いずれの復調信号を用いてもよい。また、ＣＲＣ符号の誤りがどちらか一方のみにある場合は、ＣＲＣ符号の誤りがない方の復調信号を用いる。
【００７８】
両方のＣＲＣ符号に誤りがあった場合は、以下の２通りに分かれる。まず、それら２つの復調信号が一致していた場合は、誤りがあることは分かるものの、その誤りがどこであるかは推定できない（同じ情報が２つあっても情報量は増えない）。
【００７９】
一方、それら２つの受信データが一致しない場合は、Ｉ信号側の復調信号データＲｒ、Ｑ信号側の復調信号データＲｑの２つから、最も近い符号データを無線タグ回路素子Ｔoから送信された正しい送信情報と判定する。たとえば、図１０に示すように、無線タグ回路素子Ｔoからの返信データＲｔが通信路の誤りにより１ビット誤ってＩ,ＱチャネルでＲｒ,Ｒｑ（ただし互いに異なる値）という受信データとして受信された場合、ＲｒとＲｑから符号間距離の最も近い情報を送信データとして判定することができる。
【００８０】
すなわち、送信データはＣＲＣフィールドを付加することにより送信データの符号間距離は２以上となる（１ビット異なるＩＤではＣＲＣ符号を付加して送信されるデータは２ビット以上の異なるところがあるようになる）。つまり１ビット誤った場合、どこかのビットを１ビット反転すれば元の送信データとなるはずである。したがって、Ｒｒ,Ｒｑについてそれぞれどこかの１ビットを反転させたものが一致するビット位置を探索することで、一致したところで元の送信データを決定できるのである。
【００８１】
以上のようにして、本実施形態のタグラベル作成装置２では、Ｉ−Ｑ直交復調によって無線タグ回路素子Ｔoからの反射波の復調が行われる。
【００８２】
図１１は、上記無線タグ回路素子Ｔoの機能的構成を表す機能ブロック図である。この図１１において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００８３】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００８４】
変復調部１５８は、アンテナ１５２により受信された上記タグラベル作成装置２のアンテナ１４からの通信信号の復調を行うと共に、上記制御部１５５からの応答信号に基づき、アンテナ１５２より受信された搬送波を変調反射する。
【００８５】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８６】
クロック抽出部１５４は受信した信号からクロック成分を抽出して制御部１５７にクロックを抽出するものであり、受信した信号のクロック成分の速度に対応したクロックを制御部１５７に供給する。
【００８７】
図１２（ａ）及び図１２（ｂ）は、上述のようにして無線タグ回路素子Ｔoの情報書き込み及び印字済タグラベル用テープ１１０の切断が完了し形成された無線タグラベルＴの外観の一例を表す図であり、図１２（ａ）は上面図、図１２（ｂ）は下面図である。また図１３は、図１２中ＸIII−ＸIII′断面による横断面図である。
【００８８】
これら図１２（ａ）、図１２（ｂ）、及び図１３において、無線タグラベルＴは、図７に示した４層構造に被印字テープ１０３が加わった５層構造となっており、被印字テープ１０３側（図１３中上側）よりその反対側（図１３中下側）へ向かって、被印字テープ１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、被印字テープ１０３の裏面に印字Ｒ（この例では無線タグラベルＴの種類を示す「ＲＦ−ＩＤ」の文字）が印刷されている。
【００８９】
図１４は、上述したようなタグラベル作成装置２による無線タグ回路素子ＴoのＩＣ回路部１５１の無線タグ情報へのアクセス(書き込み又は読み取り)に際して、上記した端末５又は汎用コンピュータ６に表示される画面の一例を表す図である。
【００９０】
図１４において、この例では、無線タグラベルＴの種別（アクセス周波数及びテープ寸法）、無線タグ回路素子Ｔoに対応して印刷された印字文字Ｒ、その無線タグ回路素子Ｔoに固有の識別情報であるアクセス（書き込み又は読み取り）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりタグラベル作成装置２が作動されて、被印字テープ１０３に上記印字文字Ｒが印刷されると共に、ＩＣ回路部１５１に上記書き込みＩＤ及び物品情報等の情報が書き込まれる（又はＩＣ回路部１５１に予め記憶された物品情報等の無線タグ情報が読みとられる）。なお、この場合の無線タグ情報の「読み取り・書き込み」とは、広くいわゆるデータの読み取り・書き込みのみならず、「Kill」及び「Sleep」コマンドに基づく信号のような応答を休止させる信号の送信も含む。
【００９１】
上記のような書き込み（又は読み取り）の際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００９２】
以下、制御回路３０によって実行される制御手順について説明する。
【００９３】
図１５は、上述した無線タグラベルＴの作成、すなわち、被印字テープ１０３を搬送し印字ヘッド１０で所定の印字を行いつつ基材テープ１０１を搬送し無線タグ情報の書き込みを行い、それら被印字テープ１０３及び基材テープ１０１を貼り合わせて印字済タグラベル用テープ１１０とした後、印字済タグラベル用テープ１１０を無線タグ回路素子Ｔoごとに切断し無線タグラベルＴとする際に、制御回路３０によって実行される制御手順を表すフローチャートである。
【００９４】
この図１５において、まずステップＳ１０５において、タグラベル作成装置２の書き込み操作が行われるとこのフローが開始される。そして、上記端末５又は汎用コンピュータ６を介して入力操作された、無線タグ回路素子Ｔoへと書き込むべき無線タグ情報、及びこの無線タグ情報に対応して印字ヘッド１０により無線タグラベルＴへ印字すべき印字情報が、通信回線３及び入出力インターフェイス３１を介し読み込まれる。
【００９５】
その後、ステップＳ１１０において、無線タグ回路素子Ｔoからの応答がなく、リトライ（再試行）を行う回数（アクセス試行回数）をカウントする変数Ｍ，Ｎ、及び通信良好か不良かを表すフラグＦを０に初期化する。
【００９６】
そして、ステップＳ１１５において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給され、第２ロール１０４からは被印字テープ１０３が繰り出される。さらに送出ローラ駆動回路２９を介して送出ローラ用モータ２８に制御信号を出力し、送出ローラ１７を回転駆動させる。この結果、前述したように、基材テープ１０１と被印字テープ１０３とが上記圧着ローラ１０７に（及びサブローラ１０９により）接着されて一体化され、印字済タグラベル用テープ１１０としてカートリッジ体１００外方向へと搬送される。
【００９７】
その後、ステップＳ１２０に移り、基材テープ１０１及び被印字テープ１０３が所定値Ｃ（例えば、先行する無線タグ回路素子Ｔo及びこれに対応する被印字テープ１０３印字領域に対する無線タグ情報書き込み及び印刷が終了し、次の無線タグ回路素子Ｔoがアンテナ１４にほぼ対向する位置に到達するだけの搬送距離）だけ搬送されたかどうかを判断する。このときの搬送距離判定は、例えば、上記基材テープ１０１に設けた適宜の識別用マークを別途設けた公知のテープセンサで検出することにより行えば足りる。判定が満たされたら、ステップＳ２００に移る。
【００９８】
ステップＳ２００ではタグ情報書き込み・印字処理を行い、書き込むためのメモリ初期化（消去）を行った後、無線タグ情報を含む送信信号を基材テープ１０１上の無線タグ回路素子Ｔoに送信して書き込みを行うとともに、印字ヘッド１０により印字テープ１０３の対応する領域に印字Ｒの印刷を行う（詳細は後述の図１６参照）。このステップＳ２００が終了したらステップＳ１２５に移る。
【００９９】
ステップＳ１２５では、フラグＦ＝０であるかどうかが判定される。書き込み処理が正常に完了していればＦ＝０のまま（後述の図１６に示すフローのステップＳ３８５参照）であるので、この判定が満たされ、ステップＳ１３０に移る。
【０１００】
ステップＳ１３０では、上記ステップＳ２００で無線タグ回路素子Ｔoへ書き込まれた情報と、これに対応して既に印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【０１０１】
その後、ステップＳ１３５で、被印字テープ１０３のうちこの時点で処理対象としている無線タグ回路素子Ｔoに対応する領域への印字がすべて完了しているかどうかを確認した後、ステップＳ１４０へ移る。
【０１０２】
なお、先に述べたステップＳ１２５において、何らかの理由で書き込み処理が正常に完了していない場合はＦ＝１とされている（後述の図１６に示すフローのステップＳ３８５参照）のでＳ１２５の判定が満たされず、ステップＳ１３７に移り、印刷駆動回路２５に制御信号を出力して印字ヘッド１０を通電を中止し印字を停止させる。このように印字中途停止によって当該無線タグ回路素子Ｔoが正常品でないことを明らかに表示する。なお、印字中途停止でなく、その旨の警報・注意喚起等の特別の態様の印字を行うようにしてもよい。
【０１０３】
このステップＳ１３７が終了した後、ステップＳ１４０へ移る。
【０１０４】
ステップＳ１４０では、印字済タグラベル用テープ１１０がさらに所定量（例えば、対象とする無線タグ回路素子Ｔo及びこれに対応する被印字テープ１０３の印字領域のすべてがカッタ１５を所定の長さ(余白量)分越えるだけの搬送距離）だけ搬送されたかどうかを判断する。このときの搬送距離判定も、前述のステップＳ１２０と同様、例えばマーキングをテープセンサで検出することにより行えば足りる。判定が満たされたら、ステップＳ１４５に移る。
【０１０５】
ステップＳ１４５では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からの被印字テープ１０３の繰り出し、及び送出ローラ１７による印字済タグラベル用テープ１１０の搬送が停止する。
【０１０６】
その後、ステップＳ１５０でソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応する被印字テープ１０３の印字領域が貼り合わせられた印字済タグラベル用テープ１１０のすべてがカッタ１５を十分に越えており、このカッタ１５の切断によって、無線タグ回路素子Ｔoに無線タグ情報が書き込まれかつこれに対応する所定の印字が行われたラベル状の無線タグラベルＴが生成される。
【０１０７】
その後、ステップＳ１５５に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、搬出口１６から装置２外へと排出される。
【０１０８】
図１６は、上述のステップＳ２００の詳細手順を表すフローチャートである。
【０１０９】
この図１６において、まず、ステップＳ３００において、印刷駆動回路２５に制御信号を出力し、印字ヘッド１０を通電して、被印字テープ１０３のうち処理対象となる無線タグ回路素子Ｔoに対応する領域（圧着ローラ１０７により当該無線タグ回路素子Ｔoの裏面に貼り合わせることとなる領域）に、前述の図１５のステップＳ１０５で読み込んだ文字、記号、バーコード等の印字Ｒを印刷させる。
【０１１０】
そして、ステップＳ３１０において、公知の適宜の手法で書き込み対象の無線タグ回路素子Ｔoに割り当てる識別番号ＩＤを設定する。
【０１１１】
その後、ステップＳ３２０において、無線タグ回路素子Ｔoのメモリ部１５７に記憶された情報を初期化する「Erase」コマンドを信号処理回路２２に出力する。これに基づき信号処理回路２２でアクセス情報としての「Erase」信号が生成されて高周波回路２１を介して書き込み対象の無線タグ回路素子Ｔoに送信され、そのメモリ部１５７を初期化する。
【０１１２】
次に、ステップＳ３３０において、メモリ部１５７の内容を確認する「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ３４０において、上記「Verify」信号に対応して書き込み対象の無線タグ回路素子Ｔoから送信されたリプライ信号をアンテナ１４を介して受信し、高周波回路２１及び信号処理回路２２を介し取り込む。この際に、前述のようにして無線タグ回路素子Ｔoからのリプライ信号はＩ−Ｑ直交復調によって無線タグ回路素子Ｔoからの反射波の復調が行われ、２つの復調信号のうち誤りがないものを選択し、これを無線タグ回路素子Ｔoから返信された情報であると認識する。
【０１１３】
次に、ステップＳ３５０において、リプライ信号に基づき、当該無線タグ回路素子Ｔoのメモリ部１５７内の情報を確認し、メモリ部１５７が正常に初期化されたか否かを判定する。
【０１１４】
判定が満たされない場合はステップＳ３６０に移ってＭに１を加え、さらにステップＳ３７０においてＭ＝５かどうかが判定される。Ｍ≦４の場合は判定が満たされずステップＳ３２０に戻り同様の手順を繰り返す。Ｍ＝５の場合はステップＳ３８０に移り、エラー表示信号を入出力インターフェイス３１及び通信回線３を介し上記端末５又は汎用コンピュータ６へ出力し、対応する書き込み失敗（エラー）表示を行わせ、このフローを終了する。このようにして初期化が不調でも５回までは再試行が行われる。
【０１１５】
ステップＳ３５０の判定が満たされた場合、ステップＳ３９０に移り、所望のデータをメモリ部１５７に書き込む「Program」コマンドを信号処理回路２２に出力する。これに基づき信号処理回路２２で書き込みたいＩＤ情報を含むアクセス情報としての「Program」信号が生成されて高周波回路２１を介して情報書き込み対象の無線タグ回路素子Ｔoに送信され、そのメモリ部１５７に情報が書き込まれる。
【０１１６】
その後、ステップＳ４００において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ４１０において、上記「Verify」信号に対応して書き込み対象の無線タグ回路素子Ｔoから送信されたリプライ信号をアンテナ１４を介して受信し、高周波回路２１及び信号処理回路２２を介し取り込む。この際も、上記同様、Ｉ−Ｑ直交復調によって無線タグ回路素子Ｔoからの反射波の復調が行われ、２つの復調信号のうち誤りがないものを選択し、これを無線タグ回路素子Ｔoから返信された情報であると認識する。
【０１１７】
次に、ステップＳ４２０において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【０１１８】
判定が満たされない場合はステップＳ４３０に移ってＮに１を加え、さらにステップＳ４４０においてＮ＝５かどうかが判定される。Ｎ≦４の場合は判定が満たされずステップＳ３９０に戻り同様の手順を繰り返す。Ｎ＝５の場合は前述したステップＳ３８０に移り、同様に上記端末５又は汎用コンピュータ６に対応する書き込み失敗（エラー）表示を行わせ、ステップＳ３８５で前述のフラグＦ＝１にして、このフローを終了する。このようにして情報書き込みが不調でも５回までは再試行が行われる。
【０１１９】
ステップＳ４２０の判定が満たされた場合、ステップＳ４５０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出され、このフローを終了する。
【０１２０】
以上のルーチンにより、カートリッジ１００内において、基材テープ１０１上の書き込み対象の無線タグ回路素子Ｔoに対して対応する無線タグ情報を書き込むとともに、被印字テープ１０３上の対応する領域に対し上記無線タグ情報に対応した印字Ｒを印刷することができる。
【０１２１】
以上において、高周波回路２１の送信部３２及びアンテナ１４が、各請求項記載の情報送信手段を構成し、受信部３３及びアンテナ１４が、情報受信手段を構成する。またＦＭ復調回路２０２Ａ，２０２Ｂが、情報受信手段で読み込んだ前記返答信号を、互いに位相が異なる複数の信号を用いてそれぞれ復調する復調手段を構成する。
【０１２２】
また、シリアル−パラレル変換回路２０３Ａ，２０３Ｂ（ＣＲＣ符号部切出回路２０４Ａ，２０４Ｂを含む）と、ＣＲＣ演算回路２０５Ａ，２０５Ｂと、比較回路２０６Ａ，２０６Ｂとが、復調手段で複数の信号を用いてそれぞれ復調された複数の復調信号の誤り検出をそれぞれ行う誤り検出手段を構成し、制御回路３０が、誤り検出手段の検出結果に基づき、複数の復調信号のうち１つを選択する選択手段を構成する。また比較回路２０６Ａ，２０６Ｂは、復調信号における誤り数を検知する誤り数検知手段をも構成する。
【０１２３】
以上説明したように、本実施形態のタグラベル作成装置２においては、無線タグラベルＴを作成する際に、無線タグ回路素子Ｔoを備えた基材テープ１０１を収納したカートリッジ１００をカートリッジホルダ部ＣＨに取り付け、カートリッジ１００から連続的に供給される基材テープ１０１の無線タグ回路素子Ｔoに対し装置側のアンテナから無線通信を行い、そのＩＣ回路部１５１へのアクセス（情報読み取り又は書き込み）を行う。
【０１２４】
この際、高周波回路３２の送信部３２で変調された変調信号がアンテナ１４から無線タグ回路素子Ｔoへ送信され、無線タグ回路素子Ｔoからの返答信号がアンテナ１４で受信され受信部３３へ読み込まれる。この返答信号は、さらに信号処理回路２２のＦＭ復調回路２０２Ａ，２０２Ｂによって互いに位相が異なる複数の信号（この例では位相が９０°異なるＱ信号及びＩ信号）にて復調され、それぞれの復調信号についての誤り検出がＣＲＣ符号を用いて行われ、その誤り検出結果に基づき、Ｑ信号及びＩ信号のいずれか一方の復調信号が制御回路３０で選択される。このように複数の誤り検出結果に基づき１つの復調信号を選択することにより、単に受信信号強度の大きいほうの復調信号を選択する従来技術と異なり、誤りのない復調信号に基づき無線タグ回路素子Ｔoからの情報を取得することができるので、無線タグ回路素子Ｔoとの通信性能（正しい情報を取得できる能力）を向上することができる。特に、タグラベル作成装置の場合、印字ヘッド１０の駆動やテープ搬送時のモータ駆動に伴うノイズが生じやすいが、このようなノイズがあっても正しく無線タグ回路素子Ｔoと通信を行うことができるので、搬送や印字しながらでも高速に無線タグラベルＴを作成できる効果がある。
【０１２５】
また本実施形態では、特に、グリッジ除去回路２０１Ａ，２０１Ｂで返答信号中の不要なグリッジ成分を除去した後にＦＭ復調回路２０２Ａ，２０２Ｂで復調を行うことにより、さらに確実にノイズのある環境でも正確な復調を行うことができる。
【０１２６】
なお、本発明は、上記実施形態に限られず、その技術的思想及び趣旨を逸脱しない範囲内で種々の変形が可能である。以下、そのような変形例を説明する。
【０１２７】
（１）無線タグ回路素子が読み取り専用である場合
以上においては、無線タグ回路素子Ｔoに対し無線タグ情報を送信しＩＣ回路部に書き込みを行う場合を例にとって説明したが、これに限られない。すなわち、予め所定の無線タグ情報（タグ識別情報等）が書き換え不可に記憶保持されている読み取り専用の無線タグ回路素子Ｔoから無線タグ情報を読み取りながら、これに対応する印字を行ってラベルを作成する場合があり、このような場合にも適用可能である。
【０１２８】
この場合には、図１５におけるステップＳ１０５においては印字情報のみを読み込み、ステップＳ２００で無線タグ情報の読み取り処理を行うようにすればよい（詳細は後述の図１７参照）。その後ステップＳ１３０では印字情報とその読み取った無線タグ情報との組み合わせを保存する。
【０１２９】
図１７は、上記無線タグ読み取り処理の詳細手順を表すフローチャートである。
【０１３０】
図１７において、情報読み取り対象とする無線タグ回路素子Ｔoがアンテナ１４近傍に搬送されてきたら、ステップＳ５０１において、無線タグ回路素子Ｔoに記憶された情報を読み出す「Scroll
All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１３１】
次に、ステップＳ５０２において、上記「Scroll All ID」信号に対応して読み取り対象の無線タグ回路素子Ｔoから送信されたリプライ信号（タグＩＤ情報等を含む無線タグ情報）をアンテナ１４を介して受信し、高周波回路２１及び信号処理回路２２を介し取り込む。この際に、前述のようにして無線タグ回路素子Ｔoからのリプライ信号のＩ−Ｑ直交復調によって無線タグ回路素子Ｔoからの反射波の復調が行われ、２つの復調信号のうち誤りがない又は誤りが最も少ないと検出されたものを選択し、これを無線タグ回路素子Ｔoから返信された情報であると認識する。
【０１３２】
次に、ステップＳ５０３において、上記ステップＳ５０２で上述した復調信号の選択認識に基づき、無線タグ回路素子Ｔoから誤りなく正しく情報を取得できたかを判定する。
【０１３３】
判定が満たされない場合はステップＳ５０４に移ってＮに１を加え、さらにステップＳ５０５においてＮ＝５かどうかが判定される。Ｎ≦４の場合は判定が満たされずステップＳ５０１に戻り同様の手順を繰り返す。Ｎ＝５の場合はステップＳ５０６に移り、エラー表示信号を入出力インターフェイス３１及び通信回線３を介し上記端末５又は汎用コンピュータ６へ出力し、対応する読み取り失敗（エラー）表示を行わせた後、ステップＳ５０７でフラグＦ＝１としてこのルーチンを終了する。このように、情報読み取りが不調でも５回までは再試行が行われることにより、読み取り信頼性の確保上、万全を期すことができる。
【０１３４】
ステップＳ５０３の判定が満たされた場合、読み取り対象とする無線タグ回路素子Ｔoからの無線タグ情報の読み取りが完了し、このルーチンを終了する。
【０１３５】
以上のルーチンにより、この変形例はカートリッジ内の読み取り対象の無線タグ回路素子Ｔoに対し、ＩＣ回路部の無線タグ情報（タグ識別情報等）にアクセスし、これを読み出すことができる。
【０１３６】
そして、本変形例においても、上記第１実施形態と同様の効果を得ることができる。
【０１３７】
（２）ソフトウェアにより誤り検出を行う場合
すなわち、上記実施形態では、図９に示したようにＣＲＣ演算回路２０５Ａ，２０５Ｂや比較回路２０６Ａ，２０６Ｂのようなハードウェアを用いてＣＲＣ符号の算出及び比較を行っていたが、これに限られず、これらの機能を含めて誤り検出をすべて制御回路３０においてソフトウェアにより行っても良い。
【０１３８】
図１８は、この変形例における信号処理回路２２′の機能的構成を表す機能ブロック図であり、上記実施形態の図９に対応する図である。図９と同等の部分には同一の符号を付し、適宜説明を省略する。
【０１３９】
図１８において、この信号処理回路２２′では、図９の信号処理回路２２のＣＲＣ演算回路２０５Ａ，２０５Ｂ及び比較回路２０６Ａ，２０６Ｂに代えてレジスタ機能をそれぞれもつ第１メモリ２０７Ａ及び第２メモリ２０７Ｂが設けられている。これらメモリ２０７Ａ，２０７Ｂには、シリアル−パラレル変換回路２０３Ａ，２０３Ｂからの復調信号に含まれるデータ部分と、上記シリアル−パラレル変換回路２０３Ａ，２０３Ｂで抽出されたＣＲＣ符号とがそれぞれ入力されて一旦記憶され、制御回路３０からの制御信号（出力指示信号）に応じて、そのメモリ２０７Ａ，２０７Ｂに記憶された内容が制御回路３０へと取り込まれる（詳細は後述）。
【０１４０】
またこの変形例では、前述した制御回路３０の周波数制御信号によって水晶振動子３５、ＰＬＬ３６、及びＶＣＯ３７から発生される搬送波の周波数が特定の周期でホッピングされ、そのホッピング周波数毎に過去のＱ信号及びＩ信号のアクセス時の通信成否（誤りがないか誤り数が少なく精度良く情報取得ができたかどうか）が履歴として記録されている。図１９はこの通信成否履歴を表す図であり、後述のようにある順序で切り替えられる各ホッピング周波数ｆ0，ｆ1，ｆ2，ｆ3，…ごとに、上記Ｑ信号及び上記Ｉ信号での通信成否履歴が例えばこの例では「成功」「失敗」のように（書き換え可能に）例えば制御回路３０内のＲＡＭ（記憶手段）に記憶保持されている。そして、その後にアクセスを行う際も、当該履歴を利用して効率よく通信を行えるようになっている。
【０１４１】
図２０は、本変形例の制御回路３０が実行する上記ステップＳ２００の詳細手順を表すフローチャートであり、前述の図１６に相当する図である。図１６と同等の手順には同一の符号を付し、説明を省略する。図２０では、ステップＳ３００の前に新たにステップＳ２９０を設け、ホッピング周波数をｆoに初期設定するようになっており、また、ステップＳ３７０の判定が満たされずステップＳ３２０へ戻る途中及びステップＳ４４０の判定が満たされずステップＳ３９０に戻る途中にそれぞれステップＳ３７５及びステップＳ４４５を新たに設け、上記ホッピング周波数を（上記ｆ0，ｆ1，ｆ2，ｆ3，…という順序に沿って）次の値に切り替えるようになっている。
【０１４２】
また、上記ステップＳ３４０及びステップＳ４１０にそれぞれ相当するステップＳ３４０′及びステップＳ４１０′では、上記した誤り検出機能を果たすための所定の処理を行う。図２１はこのステップＳ３４０′及びステップＳ４１０′の詳細制御内容を表すフローチャートである。
【０１４３】
図２１において、まずステップＳ６０１で、上記ＲＡＭ等に記憶された通信成否履歴情報にアクセスし、そのときに通信しようとしているホッピング周波数（ステップＳ２９０でｆoに初期設定されているか、ステップＳ３７５かステップＳ４５で新たに切り替えられた周波数ｆn）に対応する履歴を参照して、Ｑ信号及びＩ信号それぞれについて「成功」「失敗」等の履歴を取得する。
【０１４４】
その後、ステップＳ６０２に移り、取得履歴においてＱ信号における通信成否が「成功」となっているかどうかを判定する。「成功」となっていれば判定が満たされ、ステップＳ６０３に移る。ステップＳ６０３では、第１メモリ２０７Ａに出力指示信号を出力して第１メモリ２０７Ａに記憶された復調データを読み込み、さらにそのＣＲＣ符号を算出する。なおこのとき第１メモリ２０７ＡからはＣＲＣ符号部切出回路２０４Ａで復調信号から抽出されたＣＲＣ符号が併せて読み込まれる。
【０１４５】
そして、ステップＳ６０４において、上記ステップＳ６０３で算出したＣＲＣ符号と、第１メモリ２０７Ａから読み込まれたＣＲＣ符号とが一致しているかどうかを判定する。これら２つが互いに等しければこの判定が満たされて、Ｑ信号について正しく通信が行われたとみなされ、ステップＳ６０５に移って（上記ステップＳ６０３で読み込んだ）第１メモリ２０７Ａからの復調データを無線タグ回路素子Ｔoから返信された情報として確定して取り込む。
【０１４６】
ステップＳ６０４において上記ステップＳ６０３で算出したＣＲＣ符号と、第１メモリ２０７Ａから読み込まれたＣＲＣ符号とが一致していなければ判定が満たされず、Ｑ信号については正しく通信が行われなかったとみなされ、ステップＳ６０７に移る。
【０１４７】
ステップＳ６０７では、第２メモリ２０７Ｂに出力指示信号を出力して第２メモリ２０７Ｂに記憶された復調データを読み込み、さらにそのＣＲＣ符号を算出する。なおこのとき第２メモリ２０７ＢからはＣＲＣ符号部切出回路２０４Ｂで復調信号から抽出されたＣＲＣ符号が併せて読み込まれる。
【０１４８】
そして、ステップＳ６０８において、上記ステップＳ６０７で算出したＣＲＣ符号と、第２メモリ２０７Ｂから読み込まれたＣＲＣ符号とが一致しているかどうかを判定する。これら２つが互いに等しければこの判定が満たされて、Ｉ信号について正しく通信が行われたとみなされ、ステップＳ６０９に移って（上記ステップＳ６０７で読み込んだ）第２メモリ２０７Ｂからの復調データを無線タグ回路素子Ｔoから返信された情報として確定して取り込む。
【０１４９】
ステップＳ６０８において、上記ステップＳ６０７で算出したＣＲＣ符号と、第２メモリ２０７Ｂから読み込まれたＣＲＣ符号とが一致していなければ判定が満たされず、Ｉ信号についても正しく通信が行われなかったとみなされ、直接後述のステップＳ６０６に移る。
【０１５０】
一方、前述のステップＳ６０２において、取得履歴においてＱ信号における通信成否が「失敗」となっていればこの判定が満たされず、ステップＳ６１０に移る。ステップＳ６１０では、第２メモリ２０７Ｂに出力指示信号を出力して第２メモリ２０７Ｂに記憶された復調データを読み込み、さらにそのＣＲＣ符号を算出する。なおこのとき第２メモリ２０７ＢからはＣＲＣ符号部切出回路２０４Ｂで復調信号から抽出されたＣＲＣ符号が併せて読み込まれる。
【０１５１】
そして、ステップＳ６１１において、上記ステップＳ６１０で算出したＣＲＣ符号と、第２メモリ２０７Ｂから読み込まれたＣＲＣ符号とが一致しているかどうかを判定する。これら２つが互いに等しければこの判定が満たされて、Ｉ信号について正しく通信が行われたとみなされ、ステップＳ６１２に移って（上記ステップＳ６１０で読み込んだ）第２メモリ２０７Ｂからの復調データを無線タグ回路素子Ｔoから返信された情報として確定して取り込む。
【０１５２】
ステップＳ６１１において上記ステップＳ６１０で算出したＣＲＣ符号と、第２メモリ２０７Ｂから読み込まれたＣＲＣ符号とが一致していなければ判定が満たされず、Ｉ信号については正しく通信が行われなかったとみなされ、ステップＳ６１３に移る。
【０１５３】
ステップＳ６１３では、第１メモリ２０７Ａに出力指示信号を出力して第１メモリ２０７Ａに記憶された復調データを読み込み、さらにそのＣＲＣ符号を算出する。なおこのとき第１メモリ２０７ＡからはＣＲＣ符号部切出回路２０４Ａで復調信号から抽出されたＣＲＣ符号が併せて読み込まれる。
【０１５４】
そして、ステップＳ６１４において、上記ステップＳ６１３で算出したＣＲＣ符号と、第１メモリ２０７Ａから読み込まれたＣＲＣ符号とが一致しているかどうかを判定する。これら２つが互いに等しければこの判定が満たされて、Ｑ信号について正しく通信が行われたとみなされ、ステップＳ６１５に移って（上記ステップＳ６１３で読み込んだ）第１メモリ２０７Ａからの復調データを無線タグ回路素子Ｔoから返信された情報として確定して取り込む。
【０１５５】
ステップＳ６１４において、上記ステップＳ６１３で算出したＣＲＣ符号と、第１メモリ２０７Ａから読み込まれたＣＲＣ符号とが一致していなければ判定が満たされず、Ｑ信号についても正しく通信が行われなかったとみなされ、直接後述のステップＳ６０６に移る。
【０１５６】
上記したステップＳ６０５、ステップＳ６０９、ステップＳ６１２、ステップＳ６１５が終了したら、ステップＳ６０６に移る（ステップＳ０８及びステップＳ６１４で判定が満たされなかった場合も含む）。
【０１５７】
ステップＳ６０６では、上記Ｑ信号及びＩ信号それぞれの誤り検出結果を最新の成否履歴として上記ステップＳ６０１で取得した通信成否履歴情報を上書き更新してＲＡＭに書き込み、このフローを終了する。
【０１５８】
以上においては、ＣＲＣ符号部切出回路２０４Ａ，２０４Ｂと、制御回路３０が実行する図２１に示したフローのステップＳ６０３、ステップＳ６０４、ステップＳ６０７、ステップＳ６０８、ステップＳ６１０、ステップＳ６１１、ステップＳ６１３、ステップＳ６１４が、各請求項記載の、復調手段で複数の信号を用いてそれぞれ復調された複数の復調信号の誤り検出をそれぞれ行う（特に複数の復調信号の誤り検出を、各復調信号ごとに順次行う）誤り検出手段を構成する。
【０１５９】
そのうち、ＣＲＣ符号部切出回路２０４Ａ，２０４Ｂが、復調信号に含まれる誤り検出符号を抽出する符号抽出手段を構成し、ステップＳ６０３、ステップＳ６０７、ステップＳ６１０、ステップＳ６１３が、復調信号に含まれるデータ部分から、誤り検出符号を算出する符号算出手段を構成し、ステップＳ６０４、ステップＳ６０８、ステップＳ６１１、ステップＳ６１４が、符号抽出手段で抽出された誤り検出符号と、符号算出手段で算出された誤り検出符号とを比較する比較手段を構成する。
【０１６０】
また、ステップＳ６０５、ステップＳ６０９、ステップＳ６１２、ステップＳ６１５が、誤り検出手段の検出結果に基づき、複数の復調信号のうち１つを選択する選択手段を構成する。
【０１６１】
さらに、制御回路３０は、搬送波発生手段で発生させる搬送波の周波数を特定の周期でホッピングさせるホッピング制御手段をも構成する。
【０１６２】
本変形例によっても、上記実施形態同様、単に受信信号強度の大きいほうの復調信号を選択する従来技術と異なり、より誤りの少ない（あるいは誤りのない）復調信号に基づき無線タグ回路素子Ｔoからの情報を取得し、通信精度を向上できるという効果を得る。特にこの変形例では、Ｉ信号とＱ信号の誤り検出を並行して行わず各信号ごとに順次行う（図２１のステップＳ６０４やステップＳ６１１等を参照）ことにより、例えば誤り検出結果が良好（誤りがないか、あるいは比較的少ない等）であった場合、ステップＳ６０４→ステップＳ６０５→ステップＳ６０６と進むことでＩ信号側についての誤り検出を省略することができるので、検出処理量を低減して制御回路３０での処理速度を向上することができる。
【０１６３】
なお、上記のように過去の通信成否履歴（言い換えれば各搬送周波数におけるＱ信号かＩ信号かの選択結果）をＲＡＭに記憶保持していることから、その選択結果に基づき、過去の所定期間における選択回数の多い信号の誤り検出を優先的に行う（順序として先に行う）ようにしてもよい。この場合、過去の選択回数が多い、すなわち誤りのない又は少ない通信を行える可能性が高い信号について今回は優先的に誤り検出を行うことにより、より迅速に正しい情報を取得することができる。
【０１６４】
また、上記ＲＡＭに選択結果のみならず、各通信を行った際のパラメータ情報（無線タグ回路素子Ｔoのアンテナ１５２及びＩＣ回路部１５１の種類等のタグ属性パラメータや、通信電波のキャリア周波数、通信プロトコル、通信距離、送信出力等の通信パラメータを含む）併せて記憶しておくようにしてもよい。すなわち、一般に、通信対象へ変調信号を送信しその返答信号を受信して復調する通信方式の場合、その通信状況は、通信周波数、通信距離、変調方式等により変化しうる。上記のようにパラメータ情報と関連づけてＲＡＭへの記憶を行うことにより、その記憶内容を利用することで以降のアクセスの際の復調をさらに確実に迅速に行うことができる。
【０１６５】
また、上記は、無線タグ回路素子Ｔoに対し無線タグ情報を送信しＩＣ回路部に書き込みを行う場合を例にとって説明したが、これに限られず、上記（１）の変形例のように、読み取り専用の無線タグ回路素子Ｔoから無線タグ情報を読み取りながら、これに対応する印字を行ってラベルを作成する場合に適用してもよい。この場合も同様の効果を得る。
【０１６６】
（３）その他
また、以上は、タグテープが巻回されてロールを構成し、カートリッジにそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックしてカートリッジ化し、このカートリッジをタグラベル作成装置側のカートリッジホルダに装着して、上記収納部から移送、搬送して印字及び書き込みを行いタグラベルを作成するようにしてもよい。
【０１６７】
さらにはカートリッジ方式にも限られず、上記ロールを直接タグラベル作成装置側に装着する構成や、長尺平紙状あるいは短冊状のテープやシートをタグラベル作成装置外より１枚ずつ所定のフィーダ機構によって移送しタグラベル作成装置内へ供給する構成も考えられる。これらの場合も、上記と同様の効果を得る。
【０１６８】
また、上記２つの実施形態にそれぞれに係る変形例は、実施形態の区別に係わらず適宜組み合わせて構成することも可能である。
【０１６９】
また、以上で用いた「Scroll
All ID」信号、「Erase」信号、「Verify」信号、「Program」信号、「Kill」信号、「Sleep」信号とは、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７０】
その他、一々例示はしないが、本発明は、その趣旨を逸脱しない範囲内において、種々の変更が加えられて実施されるものである。
【図面の簡単な説明】
【０１７１】
【図１】本発明の一実施形態のタグラベル作成装置が適用される無線タグ生成システムを表すシステム構成図である。
【図２】タグラベル作成装置の全体概略構造を表す斜視図である。
【図３】カートリッジのケーシングを表した斜視図である。
【図４】装置本体からカートリッジ及び開閉蓋を取り外した状態のカートリッジホルダ部を図２中IV方向からみた上面図である。
【図５】装置本体からカートリッジ及び開閉蓋を取り外した状態のカートリッジホルダ部を図２中Ｖ方向からみた斜視図である。
【図６】タグラベル作成装置の詳細構造を表す概念的構成図である。
【図７】カートリッジの詳細構造を説明するための説明図である。
【図８】高周波回路の詳細機能を表す機能ブロック図である。
【図９】信号処理回路の要部詳細機能構成を表す機能ブロック図である。
【図１０】比較回路の比較及びこれを受けた制御回路における選択認識の具体的手法を説明するための説明図である。
【図１１】無線タグ回路素子の機能的構成を表す機能ブロック図である。
【図１２】無線タグラベルの外観の一例を表す上面図及び下面図である。
【図１３】図１２中ＸIII−ＸIII′断面による横断面図である。
【図１４】無線タグ情報の書き込み又は読み取りに際して、端末又は汎用コンピュータに表示される画面の一例を表す図である。
【図１５】図６に示した制御回路によって実行される制御手順を表すフローチャートである。
【図１６】図１５中のステップＳ２００の詳細手順を表すフローチャートである。
【図１７】制御回路によって実行される無線タグ情報読み取り手順を表すフローチャートである。
【図１８】ソフトウェアにより誤り検出を行う変形例における信号処理回路の機能的構成を表す機能ブロック図である。
【図１９】通信成否履歴の一例を表す図である。
【図２０】制御回路が実行するステップＳ２００の詳細手順を表すフローチャートである。
【図２１】図２０に示したステップＳ３４０′及びステップＳ４１０′の詳細制御内容を表すフローチャートである。
【符号の説明】
【０１７２】
２                タグラベル作成装置（無線通信装置）
１０              印字ヘッド（印字手段）
１４              アンテナ（装置側アンテナ、情報送信手段、情報受信手段）
２１              高周波回路
３０              制御回路（選択手段；誤り検出手段、ホッピング制御手段）
３２              送信部（情報送信手段）
３３              受信部（情報受信手段）
３５              水晶振動子（搬送波発生手段）
３６              ＰＬＬ（搬送波発生手段）
３７              ＶＣＯ（搬送波発生手段）
３８              送信乗算回路（搬送波変調手段）
１００            カートリッジ
１０１            基材テープ（タグ媒体）
１０７            圧着ローラ（搬送手段）
１５１            ＩＣ回路部
１５２            アンテナ（タグ側アンテナ）
２０１Ａ，Ｂ      グリッジ除去回路（グリッジ除去手段）
２０２Ａ，Ｂ      ＦＭ復調回路（復調手段）
２０３Ａ，Ｂ      シリアル−パラレル変換回路（誤り検出手段）
２０４Ａ，Ｂ      ＣＲＣ符号切出回路（符号抽出手段、誤り検出手段）
２０５Ａ，Ｂ      ＣＲＣ演算回路（符号算出手段、誤り検出手段）
２０６Ａ，Ｂ      比較回路（比較手段、誤り検出手段）
Ｔo               無線タグ回路素子（通信対象）
【図１】
0004636324.tif 000002
【図２】
0004636324.tif 000003
【図３】
0004636324.tif 000004
【図４】
0004636324.tif 000005
【図５】
0004636324.tif 000006
【図６】
0004636324.tif 000007
【図７】
0004636324.tif 000008
【図８】
0004636324.tif 000009
【図９】
0004636324.tif 000010
【図１０】
0004636324.tif 000011
【図１１】
0004636324.tif 000012
【図１２】
0004636324.tif 000013
【図１３】
0004636324.tif 000014
【図１４】
0004636324.tif 000015
【図１５】
0004636324.tif 000016
【図１６】
0004636324.tif 000017
【図１７】
0004636324.tif 000018
【図１８】
0004636324.tif 000019
【図１９】
0004636324.tif 000020
【図２０】
0004636324.tif 000021
【図２１】
0004636324.tif 000022